(57)【要約】  Ｖ形状に配置された２つのアンテナアーム（５、６）を有するアンテナ構成（４）において、集積コンポーネント（１５）のそれぞれの端子に電気的に結合するための２つの結合ゾーン（１３、１４）が、互いに近接して位置するアンテナアーム（５、６）の端（７、８）の領域に設けられており、２つのアンテナアーム（５、６）の各々が、その結合ゾーン（１３、１４）からある距離に結合領域（２０、２１）をさらに備えるとともに、各結合領域（２０、２１）が、さらなる電子コンポーネント（２２）の端子に電気的に結合するように設計されている。
2008507880.tif 000002
【特許請求の範囲】
【請求項１】
アンテナ構成であって、
当該アンテナ構成のアンテナアームを担持するキャリアを備えるとともに、
第１のアンテナアームと第２のアンテナアームとを備え、
前記２つのアンテナアームの各々が、前記キャリアに接続されているとともに、導電性材料で形成されており、第１の端と、第２の端と、前記第１の端から前記第２の端へ延びる中央長手部とを備え、
前記２つの中央長手部が、前記２つの第１の端において互いに第１の距離にあるとともに、前記２つの第１の端の各々が、集積コンポーネントの端子に電気的に結合するための結合ゾーンを有し、その２つの結合ゾーンが、互いに第２の距離にある一方で、前記集積コンポーネントが、非接触態様で通信するように設計されており、
前記２つの中央長手部が、前記２つの第２の端において互いに第３の距離にあり、その第３の距離が、前記第１の距離より大きいとともに前記第２の距離より大きく、
前記２つのアンテナアームの前記２つの中央長手部が、互いに少なくとも鋭角開き角を囲んでおり、
前記集積コンポーネントの端子に電気的に結合するための前記２つの結合ゾーンの各々が、第１の接続技術により、前記キャリア上に設けられており、
前記２つのアンテナアームの各々が、その結合ゾーンからある距離に結合領域をさらに有し、
前記２つの結合領域が、互いに第４の距離にあり、その第４の距離が、前記第２の距離より大きく、
さらなる電子コンポーネントの端子に電気的に結合するための前記２つの結合領域の各々が、ある接続技術により、前記キャリア上に配置されている、ことを特徴とするアンテナ構成。
【請求項２】
前記集積コンポーネントの端子に電気的に結合するための前記２つの結合ゾーンの各々が、フリップチップ技術により、前記キャリア上に配置されている、ことを特徴とする請求項１に記載のアンテナ構成。
【請求項３】
前記集積コンポーネントの端子に電気的に結合するための前記２つの結合ゾーンの各々が、ワイヤボンディング技術により、前記キャリア上に配置されている、ことを特徴とする請求項１に記載のアンテナ構成。
【請求項４】
さらなる電子コンポーネントの端子に電気的に結合するための前記２つの結合領域の各々が、はんだ付け技術により、前記キャリア上に配置されている、ことを特徴とする請求項１に記載のアンテナ構成。
【請求項５】
各結合領域が、アンテナアームから横方向に突出している延長部上に設けられている、ことを特徴とする請求項１に記載のアンテナ構成。
【請求項６】
アンテナアームの前記延長部が、前記アンテナアームの他方のアンテナアームから離れる方向に面する側から横方向に突出している、ことを特徴とする請求項５に記載のアンテナ構成。
【請求項７】
前記延長部が、細長片の形状で実現されている、ことを特徴とする請求項６に記載のアンテナ構成。
【請求項８】
アンテナアームの前記延長部が、前記アンテナアームの他方のアンテナアームに面する側から突出している、ことを特徴とする請求項５に記載のアンテナ構成。
【請求項９】
前記延長部が、球状隆起の形状で実現されている、ことを特徴とする請求項８に記載のアンテナ構成置。
【請求項１０】
各アンテナアームが、その第１の端からその第２の端に向かって増加する幅を有する、ことを特徴とする請求項１に記載のアンテナ構成。
【請求項１１】
各アンテナアームが、傾斜しているとともに、その第１の端へ向かって延びる傾斜部を有する、ことを特徴とする請求項１に記載のアンテナ構成。
【請求項１２】
前記延長部が、前記それぞれのアームの前記傾斜部から横方向に突出している、ことを特徴とする請求項５および請求項１１に記載のアンテナ構成。
【請求項１３】
通信局との非接触通信用データキャリアであって、そのデータキャリアが、アンテナ構成を備え、請求項１から請求項１２のいずれか一項に記載のアンテナ構成が、設けられている、ことを特徴とするデータキャリア。
【発明の詳細な説明】
【技術分野】
【０００１】
本発明は、アンテナ構成に関し、アンテナ構成は、アンテナ構成のアンテナアームを担持するキャリアを備えるとともに、第１のアンテナアームと第２のアンテナアームとを備え、２つのアンテナアームの各々が、キャリアに接続されているとともに、導電性材料で形成されており、第１の端と、第２の端と、第１の端から第２の端へ延びる中央長手部とを備え、当該２つの中央長手部が、２つの第１の端において互いに第１の距離にあるとともに、２つの第１の端の各々が、集積コンポーネントの端子に電気的に結合するための結合ゾーンを有し、その２つの結合ゾーンが、互いに第２の距離にある一方で、当該集積コンポーネントが、非接触態様で通信するように設計されており、当該２つの中央長手部が、２つの第２の端において互いに第３の距離にあり、その第３の距離が、第１の距離より大きいとともに第２の距離より大きい。
【０００２】
本発明は、さらに通信局との非接触通信用データキャリアに関し、データキャリアがアンテナ構成を有する。
【背景技術】
【０００３】
上記の最初の段落に記載した種類のアンテナ構成および第２の段落に記載した種類のデータキャリアは、例えば特許文献、特開平７−２７１９３８号公報から既知である。既知のデータキャリアは、チップカードであり、チップカードは、カード本体を有し、当該カード本体は、既知のアンテナ構成用のキャリアを形成する。アンテナ構成は、本明細書においてＶ形状に配置された２つのアンテナアームを備え、２つのアンテナアームは、それらの第１の端とそれらの第２の端との間に一定の幅を有する。既知のアンテナ構成の２つのアンテナアームの２つの中央長手部は、鈍角開き角を囲んでおり、その開き角が、およそ１４０°の値を有するようになっている。広い開き角により、２つのアンテナアームの中央長手部は、それらの第１の端の領域以外は、互いに比較的大きな距離にあり、それは２つのアンテナアームの良好な分離には確かに好都合であるが、出願者のところで行ったテストで明らかになった不都合もある。単一の集積コンポーネントだけが、既知のアンテナ構成を有する既知のデータキャリアに接続されているが、引用特許文献は、どのような接続技術によって、アンテナ構成と集積コンポーネントとの間の電気的結合が達成されるかについて、まったく詳述していない。したがって既知のアンテナ構成およびデータキャリアには、制約および不都合があり、それは大きな開き角が、アンテナアーム間にあるためであり、アンテナ構成は、単一の集積コンポーネントとの電気的結合、したがって動作的協働に対してのみ構成され且つ適している。
【発明の開示】
【発明が解決しようとする課題】
【０００４】
本発明は、その目的のため、上記の問題を排除するとともに、改良アンテナ構成と改良データキャリアとを提供しなければならない。
【課題を解決するための手段】
【０００５】
上記の目的を達成するために、発明の特徴は、本発明によるアンテナ構成において、本発明によるアンテナ構成が、以下のように特徴付けることができるように提供される。
【０００６】
アンテナ構成であって、アンテナ構成のアンテナアームを担持するキャリアを備えるとともに、第１のアンテナアームと第２のアンテナアームとを備え、２つのアンテナアームの各々が、キャリアに接続されているとともに、導電性材料で形成されており、第１の端と、第２の端と、第１の端から第２の端へ延びる中央長手部とを備え、２つの中央長手部が、当該２つの第１の端において互いに第１の距離にあるとともに、２つの第１の端の各々が、集積コンポーネントの端子に電気的に結合するための結合ゾーンを有し、その２つの結合ゾーンが、互いに第２の距離にある一方で、当該集積コンポーネントが、非接触態様で通信するように設計されており、当該２つの中央長手部が、２つの第２の端において互いに第３の距離にあり、その第３の距離が、第１の距離より大きいとともに第２の距離より大きく、２つのアンテナアームの２つの中央長手部が、互いに少なくとも鋭角開き角を囲んでおり、集積コンポーネントの端子に電気的に結合するための２つの結合ゾーンの各々が、第１の接続技術によりキャリア上に設けられており、２つのアンテナアームの各々が、その結合ゾーンからある距離において結合領域をさらに有し、当該２つの結合領域が、互いに第４の距離にあり、その第４の距離が、第２の距離より大きく、さらなる電子コンポーネントの端子に電気的に結合するための２つの結合領域の各々が、ある接続技術によりキャリア上に配置されている。
【０００７】
上記の目的を達成するために本発明によれば、通信局との非接触通信用データキャリアにおいて、データキャリアが、アンテナ構成を備え、本発明によるアンテナ構成が、設けられている、ことが提供される。本発明によるこのようなアンテナ構成は、前の段落で説明されている。
【０００８】
本発明による特徴の提供は、単純な態様で且つ特に追加費用がかからずに、アンテナ構成が、多目的アンテナ構成としての機能を果たすのに好都合に適すること、すなわち本発明によるアンテナ構成が、集積コンポーネントに電気的に結合する、または複数のさらなる電子コンポーネントから選択された、さらなる電子コンポーネントに電気的に結合するのに適することを達成するため、様々なデータキャリアが、異なる固定具で、単純な態様で、すなわち異なる集積コンポーネントで、または異なるさらなる電子コンポーネントで実現可能である。このことは、集積コンポーネントおよびさらなる電子コンポーネントで、それらのうち、好適ではあるが必ずしも排他的ではないが、毎回本発明によるアンテナ構成に電気的に結合できるものは、それらの収容装置に関して、すなわち特に各場合に用いられる筐体のサイズに関して、したがって、本発明によるアンテナ構成のアンテナアームに結合するための、筐体の外側からアクセス可能な端子の距離に関して、比較的明らかに互いに異なることができる、という重要な利点を提供する。
【０００９】
本発明による解決法において、集積コンポーネントの端子に電気的に結合するための２つの結合ゾーンの各々が、フリップチップ技術によりキャリア上に配置されている場合、非常に有利であるということが分かった。このため２つの結合ゾーンと集積コンポーネントの２つの端子との間の電気的結合を、特に単純且つ安価な態様で実現することができる。さらにまたこのような配置は、これが非常に小さく且つ平坦である点で好適である。さらなる利点は、結合ゾーンが、電気的結合として完全な導電接続を達成するために、金メッキされる必要がないということである。
【００１０】
しかし本発明による解決法において、集積コンポーネントの端子に電気的に結合するための２つの結合ゾーンの各々が、ワイヤボンディング技術によりキャリア上に配置されている場合、非常に有利であるということも分かった。これは特にアンテナアーム用のキャリアに対する、したがってアンテナアーム自体に対する、集積コンポーネントの正確な位置決めを、２つの結合ゾーンと集積コンポーネントの２つの端子との間に、２つの導電接続の形状で２つの電気的結合の製造中に行う必要がない、という利点を提供する。このような構成が、フリップチップ技術を用いた構成ほど平坦であることができない、ということは真実であるが、なお非常に平坦であることは可能である。このような配置の特別な利点は、特に望ましくない容量結合が、集積コンポーネントの端子と結合ゾーンとの間に生じない、ということである。
【００１１】
本発明による解決法において、さらなる電子コンポーネントの端子に電気的に結合するための２つの結合領域の各々が、はんだ付け技術によりキャリア上に配置されている場合、非常に有利であるということがさらに分かった。この構成は、結合領域の位置に関する高い自由度という利点を提供する。さらにまたこの解決法は、結合領域とさらなる電子コンポーネントの端子との間の導電接続の形状で、高負荷することができる、特に頑健な電気的結合を実現することを可能にする。このような解決法は、速い製造速度、すなわち単位時間当たり多数の製品が可能である、という利点を提供する。さらにまたこの解決法は、比較的単純な態様で、欠陥電子コンポーネントを、内部にあるＩＣの置換により再度動作可能にすることが可能であるという、利点を提供する。
【００１２】
本発明による解決法において、各結合領域が、アンテナアームから横方向に突出している延長部上に設けられている場合、非常に有利であるということがさらに分かった。結合領域の位置に関する特に高い自由度が、これにより利用可能になる。
【００１３】
本発明による解決法において、延長部が、細長片または球状隆起により形成されている場合、有利であるということがさらに分かった上、細長片の場合、当該細長片が、アンテナアームの互いに離れる方向に面する側に設けられている場合、有利であるということが分かった一方で、球状隆起の場合、当該隆起が、アンテナアームの相互に面する側に設けられている場合、有利であるということが分かった。
【００１４】
本発明による解決法において、各アンテナアームが、その第１の端からその第２の端に向かって増加する幅を有する場合、非常に有利であるということがさらに分かった。この装置は、実質的に改善した放射効率が、一定の幅を有するアンテナアームによる解決法と比べて保証される、という主たる利点を提供する。
【００１５】
本発明による解決法において、各アンテナアームが、傾斜しているとともに、その第１の端へ向かって延びる傾斜部を有する場合、非常に有利であるということがさらに分かった。このような装置は、比較的強い結合が、傾斜部の領域においてのみ２つのアンテナアーム間に成立するが、２つのアンテナアームの残りの部分において、比較的弱い結合が成立するに過ぎないという利点を提供する。この理由は２つのアンテナアーム間の比較的大きい距離のためであり、このことはアンテナ構成の最大放射効率の点で非常に有利である。
【００１６】
本発明の上記のおよびさらなる態様は、次の説明から明らかになるとともに、実施形態の参照により明白である。
【発明を実施するための最良の形態】
【００１７】
ここで図面に示したいくつかの実施形態を参照して、本発明をより詳細に説明するが、本発明はこれに限定されるものではない。
【００１８】
図１は、データキャリア１を示し、データキャリア１は、いわゆるラベルまたはいわゆるタグを構成する。このようなデータキャリアは、代替的には非接触チップカードとして構成され得る。データキャリア１は、通信局（図示せず）と非接触通信を達成するために提供および構成されている。データキャリア１は、データキャリア本体２を備える。この場合のデータキャリア本体２は、積層プロセスで相互接続された２枚の合成樹脂フォイルで構成されている。しかしデータキャリア本体２のこれらの２枚のフォイルのうちの１枚だけが、図１および２に示されている。この１枚のフォイルは、キャリア３を形成し、キャリア３は、データキャリア１のアンテナ構成４を支持する役目をする。データキャリア本体２は、代替的に異なる誘電材料、例えば紙またはプリント配線板材料で形成され得る。上記のような通信局との非接触通信を、アンテナ構成４により行うことが可能であり、その通信は、通信局からデータキャリア１への送信およびデータキャリア１から通信局への送信の両方を含む。
【００１９】
アンテナ構成４は、２つのアンテナアーム５および６を有し、それらの２つのアンテナアーム５、６の各々は、キャリア３に接続されている。２つのアンテナアーム５および６は、導電性材料、すなわちこの場合、銅で作製されている。２つのアンテナアーム５および６は、代替的には異なる導電性材料、例えば銀、金、アルミニウム、またはカーボンペーストで作製され得る。２つのアンテナアーム５、６は、この場合エッチングプロセスにより、キャリア３上に設けられている。アンテナアーム５、６は、代替的には印刷プロセスで作製され得る。２つのアンテナアーム５、６の各々は、第１の端７、８と第２の端９、１０とを有する。さらにまた２つのアンテナアーム５、６の各々は、第１の端７、８から第２の端９、１０へ延びる中央長手部１１、１２を有する。２つの長手部１１、１２は、図１および２内に一点鎖線で示されている。
【００２０】
２つのアンテナアーム５、６の２つの中央長手部１１、１２は、２つのアンテナアーム５、６の２つの第１の端７、８において、互いに第１の距離Ｄ１にある。２つのアンテナアーム５、６の第１の端７、８の各々は、集積コンポーネント１５の端子に電気的に結合するための結合ゾーン１３、１４を有する。集積コンポーネント１５は、当業者には長きにわたり既知であるように、非接触通信用に設計されている。集積コンポーネント１５は、図面をより明瞭にするように、一点鎖線で図１および２に示されている。同じ理由のため、集積コンポーネント１５の２つの端子は、図１および２には示されていない。その理由は、集積コンポーネント１５のこのような構成も、当業者には長きにわたり既知であるためである。２つのアンテナアーム５、６の２つの結合ゾーン１３、１４は、互いに第２の距離Ｄ２にある。第２の距離Ｄ２は、この場合第１の距離Ｄ１と同じである。しかしいつもそうであるとは限らない。その理由は、第１の距離Ｄ１と第２の距離Ｄ２とが異なっていてもよく、その場合、第２の距離Ｄ２は、第１の距離Ｄ１より大きいことが好ましいはずであるが、第２の距離Ｄ２は、代替的には第１の距離Ｄ１より小さくなるように選択してもよいためである。２つのアンテナアーム４、５の２つの中央長手部１１、１２は、２つのアンテナアーム５、６の２つの第２の端９、１０において、互いに第３の距離Ｄ３にある。第３の距離Ｄ３は、第１の距離Ｄ１より大きいとともに、第２の距離Ｄ２より大きい。
【００２１】
２つのアンテナアーム５、６の各々は、図１および２のアンテナ構成４において形状が角を成しており、したがって第２の端９、１０から延びるより長い基部１６、１７と、基部１６、１７から第１の端７、８に向かって延びる傾斜部１８、１９とを有する。２つのアンテナアーム５、６の中央長手部１１、１２は、２つの基部１６、１７間の第１の鋭角開き角と、傾斜部１８、１９間の第２の鋭角開き角とを囲んでいる。第１の鋭角開き角は、およそ２０°の値を有する。第２の鋭角開き角は、９０°より若干小さい値を有する。この場合２つの中央長手部１１および１２が、基部１６および１７の領域において、互いに鋭角開き角を囲んでいることが重要であり、４０°という第１の鋭角開き角の上限が有利であることが分かった。しかし第１の鋭角開き角が、４０°より小さい値、例えば上述した２０°、または代替的には例えば１０°、７°または５°であり得るさらに小さい値を有するときに特に有利である。
【００２２】
図１および２の構成において、２つのアンテナアーム５、６の２つの傾斜部１８、１９の間の開き角は、９０°を若干下回る鋭角である。しかし代替的には、より小さい鋭角開き角が、２つの傾斜部１８、１９間に設けられてもよい。しかし９０°より大きい開き角が、代替的に２つのアンテナアーム５、６の２つの傾斜部１８、１９間に設けられ得ることは、強調されるべきであり、この場合この開き角は、もはや鋭角ではなく鈍角であるが、傾斜部１８、１９の短い長さが、全体として見ると、これがアンテナアーム５、６の２つの中央長手部１１、１２の間に鋭角がある、という状況に影響しないということを意味する。これに関してここで図５の構成を既に参照している。
【００２３】
２つのアンテナアームの中央長手部が、相互に鋭角開き角を囲んでいる、２つのアンテナアームを有するアンテナ構成に関して、ここで２００４年３月５日（ＰＨＡＴ０４００１３）の出願番号第０４１００９０４．４号を有する欧州特許出願を参照し得る。この特許出願の開示は本明細書に引用することにより包含される。
【００２４】
２つの結合ゾーン１３、１４の各々は、図１および２のデータキャリア１およびアンテナ構成４内で第１の接続技術によって、集積コンポーネント１５の端子に電気的に結合する目的で、キャリア３上に設けられている。２つの結合ゾーン１３、１４の各々は、この場合フリップチップ技術によって、集積コンポーネント１５の端子に電気的に結合するためにキャリア上に設けられている。換言すれば、２つの結合ゾーン１３、１４間の第２の距離Ｄ２は、集積コンポーネント１５の２つの端子（図示せず）間の距離に対応するように選択されるとともに、電気的結合は、導電接続の形で実現される。集積コンポーネント１５の２つの端子と結合ゾーン１３、１４との間の導電接続を作製するために、集積コンポーネント１５を、まず変更位置に移動させなければならない。変更位置では、端子（図１および２には図示せず）は、結合ゾーン１３、１４の方を向いており、その上に集積コンポーネント１５が、その２つの端子が結合ゾーン１３、１４上にある状態で置かれ、次に導電接続が、集積コンポーネント１５の端子と結合ゾーン１３、１４との間に、すなわちこの場合熱圧着プロセスにより作製される。熱圧着プロセスの代わりに、他のプロセス、例えば導電性接着剤が用いられる接着プロセスを用いてもよい。
【００２５】
回転位置に移動した集積コンポーネント１５の２つの端子と２つの結合ゾーン１３、１４とを電気結合する際、このような電気的結合が、導電接続によって実現され得るのみならず、容量結合が、このために適当に構成された集積コンポーネント１５の端子と同等に適当に設計された結合ゾーン１３、１４との間に生成されることにも留意すべきである。
【００２６】
しかし代替的には、図１および２のデータキャリア１およびアンテナ構成４内で、ワイヤボンディング技術によって、異なる集積コンポーネントの端子に電気的に結合する目的のために、２つの結合ゾーン１３、１４の各々が、キャリア３上に設けられる、ということが提供され得る。この場合２つの結合ゾーン１３、１４間の距離は、図１および２に示した装置と同じ大きさでもよく、または２つの結合ゾーン１３、１４間の第２の距離Ｄ２がより大きくなるように選択されている、この装置の変更例が選択されてもよい。しかしいずれの場合も、第２の距離Ｄ２は、他の集積コンポーネントの端子を結合ゾーン１３、１４に接続するために、可能な限り短いボンディングワイヤが必要とされるように選択される、ということに注意すべきである。これに関してここで図３に示した構成を既に参照している。
【００２７】
図１および２の装置において、２つのアンテナアーム５、６の各々は、さらに結合ゾーン１３、１４からある距離に結合領域２０、２１を備えている。２つの結合領域２０、２１は、各々図２の一点鎖線円で示されているが、これは、決して２つの結合領域２０、２１の実際の幾何学形状を限定するものとしてみなされるべきではない。２つの結合領域２０、２１は、第２の距離Ｄ２より大きい第４の距離Ｄ４にある。２つの結合領域２０、２１の各々は、ある接続技術によって、さらなる電子コンポーネント２２の端子に電気的に結合するために、キャリア３上に設けられている。他の電子コンポーネント２２が、一点鎖線図２に示されているだけで、さらなる電子コンポーネント２２の２つの電気接続は、また示されていない。この場合さらなる電子コンポーネント２２は、所与の筐体形状を有するいわゆるＳＭＤコンポーネントであり、当業者にはＴＳＳＯＰ−８の名前で既知である。さらなる電子コンポーネント２２の構成への適合のため、２つの結合領域２０、２１の各々は、ここではんだ付け技術によって、さらなる電子コンポーネント２２の端子に電気的に結合するために、キャリア３上に配置されている。これは、さらなる電子コンポーネント２２の電気的結合が、はんだ付けプロセスで作製された導電接続によって達成されるということを意味する。
【００２８】
このため、集積コンポーネント１５を、フリップチップ技術によって好都合に構成されたアンテナ構成に動作接続させることが可能である、または図２に図示されない異なる集積コンポーネントが、ワイヤボンディング技術によってそのように接続され得る、または他の電子コンポーネント２２が、はんだ付け技術によってそのように接続され得るいずれかが、図１および２のデータキャリア１およびアンテナ構成４内で単純な態様で達成され、同一のアンテナ構成４が、異なるデータキャリア１を実現する役目を果たすことが可能であり、それらのデータキャリア１は、関連するデータキャリア１上に設けられた集積コンポーネントまたはさらなる電子コンポーネントに関して互いに異なる、という利点を提供する。
【００２９】
図３は、図１および２に示すようなデータキャリア１およびアンテナ構成４の構成の変更例を示す。図３のデータキャリア１およびアンテナ構成４において、２つの結合領域２０、２１の各々は、図２の装置とは対照的に、それぞれのアンテナアーム５、６から突出している横方向延長部２３、２４上に設けられており、図２の装置において、結合領域２０、２１は、アンテナアーム５、６の基部１６、１７と傾斜部１８、１９との間の移行領域にある。各アンテナアーム５、６の延長部２３、２４は、アンテナアーム５、６の他方のアンテナアーム６、５から離れる方向に面する側から横方向に突出している。この場合、各延長部２３、２４には、細長片の形状が与えられており、２つの片は、互いに平行であるとともに、基部１６、１７と傾斜部１８、１９との間の移行領域付近で、傾斜部１８、１９に一体に接合されている。片により形成された延長部２３、２４に関して、これらの延長部２３、２４は異なる長さを有してもよく、それぞれの長さが、さらなる電子コンポーネント２２の筐体寸法に対応して、その２つの端子によって接続領域２０、２１へ接続されるように選択される、ということに留意すべきである。これは単純な態様で、アンテナ構成４とＴＳＳＯＰ−４と称されるＳＭＤコンポーネント、またはＴＳＳＯＰ−６と称されるＳＭＤコンポーネント、またはＴＳＳＯＰ−８と称されるＳＭＤコンポーネントとの間の動作接続を提供することを可能にする。
【００３０】
相互平行片として形成された延長部２３、２４は、単純且つ好都合な態様で、アンテナ構成４とさらなる電子コンポーネント２２との間のはんだ付けされた接合部の機械的安定性が、実質的に向上することを達成する。細長片としての延長部２３、２４の配置は、異なるインピーダンス値を、細長片に異なる長さを与えるという、単純な態様で達成することができるという利点をさらに提供する。さらにまたこのような細長片は、アンテナ構成４と、その片によりアンテナ構成４に接続されたさらなる電子コンポーネント２２との組合せの共振周波数が、細長片の長さの適当な選択による単純な態様で影響を受け、共振数端数を、所望の周波数帯、例えば９０２ＭＨｚ〜９２８ＭＨｚの周波数帯にすることが可能である、という利点を提供する。
【００３１】
図３は、２つの端子が、フリップチップ技術によって、２つの結合ゾーン１３、１４に電気的に結合されている、集積コンポーネント１５を示す。図３は、２つの端子が、ワイヤボンディング技術によって、２つのボンディングワイヤ２６、２７により、２つの結合ゾーン１３、１４に電気的に結合された、すなわち導電接続された、さらなる集積コンポーネント２５を示す。図３は、２つの端子が、これらもまたワイヤボンディング技術によって、２つのボンディングワイヤ２９、３０により、２つのアンテナアーム５、６の２つのさらなる結合領域３１、３２に導電接続された、またさらなる集積コンポーネント２８を示す。２つのさらなる結合領域３１、３２は、図３に点のみで示されている。２つのさらなる結合領域３１、３２は、アンテナアーム５、６の傾斜部１８、１９に位置する一方で、結合ゾーン１３、１４までの２つのさらなる結合領域３１、３２の距離は、これらの距離が、２つのボンディングワイヤ２９、３０の長さに実際に対応するように選択され、その結果、実質的に同じ接続状態が、集積コンポーネント２８および集積コンポーネント１５に対して存在している。
【００３２】
図３に示された３つの集積コンポーネント１５、２５、２８およびさらなる電子コンポーネント２２のうち、この合計４つのコンポーネントのうちの１つのみが、毎回アンテナ構成４に電気的に結合され、非接触通信用の対応するデータキャリア１が、実現されるようになっている。代替的に、単一のコンポーネントだけでなく、２つまたは３つのこのようなコンポーネントが、本発明によるアンテナ構成に結合される解決法を実現することが、多くの場合可能であるとともに確かに好都合である。
【００３３】
２組の結合領域、すなわち２つの結合領域２０、２１および２つの結合領域３１、３２が、図３のアンテナ構成４内に設けられている。さらなる電子コンポーネントの２つの端子に電気的に結合するための、さらなるこのような組の結合領域を設け得ることに留意すべきである。
【００３４】
図３のアンテナ構成４に関して、２つの横方向に突出する延長部２３、２４は、必ずしも平行に延びている必要はなく、互いにある角度であり得ることに留意すべきである。この場合、アンテナアーム５、６に結合されるべきさらなる電子コンポーネント２２の２つの端子に応じて、延長部２３、２４は、それらの自由端によって２つのアンテナアーム５、６の第１の端７、８に近接して、または２つのアンテナアーム５、６の第１の端７、８からさらに離れて位置し得る。さらなる電子コンポーネント２２を、代替的にセンサ、例えば温度センサ、湿度センサ、張力センサ、応力センサ等と協働するように設けてもよく、この場合、関連するセンサを、アンテナ構成のキャリア３上にも設けるとともに、追加の接続線を、センサをこの目的のために設けられたさらなる電子コンポーネント２２の追加の端子に接続するために、キャリア３上に設けることが好都合である。
【００３５】
図４は、図３のアンテナ構成４の変更例を示す。図４は、アンテナ構成４のみを示し、すなわち集積コンポーネントおよびさらなる電子コンポーネントは図４に示されていない。図４のアンテナ構成４のアンテナアーム５、６は、図１、２および３のアンテナ構成４の場合と同様に、それらの基部１６、１７の領域で一定の幅を有さない。図４のアンテナ構成４において、各アンテナアーム５、６は、第１の端７、８からその第２の端９、１０に向けて増加する幅を有する。アンテナアーム５、６の基部１６、１７は、そのためＶ形状が与えられている。
【００３６】
この配置は、アンテナ構成４が、対称面３３に対して鏡面対称であり、アンテナアーム５、６が、鏡面対称を有するように作成されている。アンテナアーム５、６の基部１６、１７の配置は、基部１６、１７の内側境界３４、３５が、対称面３３に対しておよそ２°の角度β１にあるようになっている。アンテナアーム５、６の基部１６、１７の外側境界３６、３７は、対称面３３に対しておよそ１５°の角度β２にある。角度β１がおよそ５°または１０°であり得ることに留意すべきである。角度β２もわずか１０°または２０°であり得る。内側境界３４、３５および外側境界３６、３７が、２つのアンテナアーム５、６に対して同じ長さを有し得ることにも留意すべきである。鏡面対称のないアンテナ構成４の配置において、第１のアンテナアーム５の角度β１および角度β２ならびに内側境界３４の長さおよび外側境界３６の長さは、それぞれ第２のアンテナアーム６の角度β１および角度β２ならびに内側境界３５の長さおよび外側境界３７の長さと異なるように選択され得る。
【００３７】
上記のアンテナアーム５、６の基部１６、１７のＶ形状配置は、基部１６、１７の一定の幅を有する配置と比べて、アンテナ構成４の明らかにより高い効率を達成し、その効率は、有利に高い輻射効果および有利に高い放射効率および有利に低い反射率によりもたらされる。
【００３８】
図５は、図２のアンテナ構成４の変更例を示す。図４のアンテナ構成４において、アンテナアーム５、６の傾斜部１８、１９は、図２のアンテナ構成４より強く傾斜されている。これは、アンテナアーム５、６の基部１６、１７が、すでに２つの結合ゾーン１３、１４から比較的近距離でも、互いに遠距離にあるという結果を有する。これは、図１、２、３および４の装置のアンテナアーム間の結合に比べて、２つのアンテナアーム５、６の基部１６、１７間に、より低い結合が成り立つという利点を提供し、これは実験で分かったように、可能な限り高いアンテナ構成の効率を得る点で有利である。図５によるアンテナ構成４のアンテナアーム５、６のより強い傾斜は、説明した他の実施形態と比べて、高放射効率および高インピーダンス適合とを提供する。
【００３９】
図５のアンテナ構成４において、アンテナアーム５、６の傾斜は、図５から明らかであるように、２つの段階で実現される。傾斜は、代替的には３段階以上、例えば３または４段階で生じ得ることに留意すべきである。また傾斜は、複数の段階で生じ得るとともに、傾斜は連続弧、例えば円形円弧の形状を取るようにもなり得る。
【００４０】
図５のアンテナ構成４は、図５に図示されない、さらなる電子コンポーネントの２つのそれぞれの端子を電気的に結合するための、２つの結合領域３８、３９も備える。２つの結合領域３８、３９は、図５に一点鎖線円で図式的に示されている。２つの結合領域３８、３９は、完全ではないが実質的に、アンテナアーム５、６から横方向に突出するそれぞれの延長部４０、４１上に設けられている。アンテナアーム５、６の延長部４０、４１は、ここでアンテナアーム５、６の他方のアンテナアーム６、５に面する側から突出している。各延長部４０、４１は、ここで球状隆起として実現されている。隆起は、代替的にはＶ形状またはＵ形状であってもよい。２つの結合領域３８、３９は、この場合、アンテナアーム５、６の傾斜部１８、１９上でほぼ中央に位置する。
【００４１】
図５のアンテナ構成４は、２つのアンテナアーム５、６を備え、図４のアンテナ構成４のアンテナアーム５、６と同様なアンテナアーム５、６は、Ｖ形状または楔形状平面寸法を有し、このことはアンテナ構成４の高い放射効率を達成するのに好都合である。
【００４２】
上記したアンテナ構成４は、主にいわゆるＲＦＩＤシステム（高周波識別）用に設計されており、このための送信周波数は、８００ＭＨｚを超えるＨＦ範囲にある。説明したアンテナ構成４の特に有利な特徴は、特に高い達成可能効率および、必要に応じて、異なる筐体形状または異なる接触方法を有する半導体チップ（フリップチップ、ワイヤボンディング、表面実装型デバイス）を、同一のアンテナ構成と接続して、データキャリア（トランスポンダ）を形成する可能性である。この態様で、様々な半導体取付具を有するタグおよびラベルを実現することは容易である。
【図面の簡単な説明】
【００４３】
【図１】図１は、本発明の第１の実施形態のアンテナ構成を有する、本発明の第１の実施形態のデータキャリアを図示する。
【図２】図２は、図１より大きい縮尺で、図１のデータキャリアの一部分と、図１のデータキャリアのアンテナ構成の一部分とを示す。
【図３】図３は、図２と同様の態様で、本発明の第２の実施形態のデータキャリアの一部分と、本発明の第２の実施形態のアンテナ構成の一部分とを示す。
【図４】図４は、図２および３と同様の態様で、本発明の第３の実施形態のデータキャリアの一部分と、本発明の第３の実施形態のアンテナ構成の一部分とを示す。
【図５】図５は、図２、３および４と同様の態様で、本発明の第４の実施形態のデータキャリアの一部分と、本発明の第４の実施形態のアンテナ構成の一部分とを示す。
【図１】
2008507880.tif 000003
【図２】
2008507880.tif 000004
【図３】
2008507880.tif 000005
【図４】
2008507880.tif 000006
【図５】
2008507880.tif 000007
【国際調査報告】
2008507880.tif 000008
2008507880.tif 000009